(57)【要約】【課題】  コントラストの高い液晶表示装置を提供する。【解決手段】  １対の透明基板に液晶が狭持された液晶表示装置における各画素内に形成されている画素電極１７及び共通電極１６が、繰り返し構造である領域を有し、かつ、透明導電膜からなる。そして、この透明導電膜と屈折率が近似する透明な絶縁膜２８が、透明導電膜の画素電極１７及び共通電極１６を覆っている。【選択図】  図６
2006039097.tif 000002
【特許請求の範囲】
【請求項１】
画素毎に画素電極及び共通電極が形成されている液晶表示装置であって、
前記画素電極及び前記共通電極の少なくとも一方が、繰り返し構造である領域を有し、かつ、透明導電膜からなり、
前記透明導電膜の少なくとも一部に、前記透明導電膜と屈折率が近似する透明な絶縁膜が接している液晶表示装置。
【請求項２】
画素毎に画素電極及び共通電極が形成されている液晶表示装置であって、
前記画素電極及び前記共通電極の少なくとも一方が、繰り返し構造である領域を有し、該繰り返し構造の電極の周期に対する電極幅の割合が０．２以下、あるいは、０．８以上である液晶表示装置。
【請求項３】
請求項２に記載の液晶表示装置において、
前記繰り返し構造である領域の電極が透明導電膜からなり、
前記透明導電膜の少なくとも一部に、前記透明導電膜と屈折率が近似する透明な絶縁膜が接している液晶表示装置。
【請求項４】
請求項１又は３に記載の液晶表示装置において、
前記透明導電膜とこれに接する前記透明な絶縁膜との屈折率差の絶対値が０．３以下である液晶表示装置。
【請求項５】
請求項１から４のいずれかに記載の液晶表示装置において、
前記画素電極及び前記共通電極が同一材料から形成されている液晶表示装置。
【発明の詳細な説明】
【技術分野】
【０００１】
本発明は、液晶表示装置に関し、特に、液晶表示装置のコントラストを向上させる構造に関する。
【背景技術】
【０００２】
液晶表示装置は、薄型、軽量、低消費電力などの特徴から家庭用から医療用まで、さまざまな分野で使用されており、その適用範囲がますます広がりを見せている。一般に、液晶表示装置は、バックライト上に偏光板、液晶、偏光板の順で配置され、液晶に電界を与えることで出射側の偏光板を通過する光の量を制御し、画像等の表示を行なっている。
【０００３】
これまでの技術開発の結果、液晶表示装置の広視野角化が進み、医療用モニターや薄型テレビなどではインプレインスイッチング方式（IPS方式）の液晶表示装置、もしくは、バーティカルアライメント方式（VA方式）の液晶表示装置が用いられるようになった。しかし、視野角特性の素直さからインプレインスイッチング方式の液晶表示装置が好まれている。
【０００４】
現在、医療用液晶モニターや薄型液晶テレビなどでは、更なる高画質表示の要求が高まっている。画質向上の項目としては第１に表示輝度の向上、第２にコントラスト比（黒を表示するときの輝度（黒輝度）と白を表示するときの輝度（白輝度）との比）の向上が挙げられる。液晶表示装置では、白輝度が高く黒輝度が低いほどコントラスト比が高くなる。つまり、コントラスト比が高いほど、白と黒の違いが明確になって表示が良好になる。特に、医療用モノクロ液晶モニターでは1000以上のコントラスト比が強く求められている。
【０００５】
このような中でインプレインスイッチング方式の液晶表示装置では、表示輝度の向上として透過率の改善が試みられている。たとえば、非特許文献１のように画素電極及び共通電極を透明電極化することが行われ、従来構造と比較して透過率を３０％改善されている。一方、コントラスト比を向上させる技術として、例えば、特許文献１の図２に記載されている液晶表示装置が挙げられる。この液晶表示装置では、各画素内に形成されたストレージ容量を接続する画素電極線３５を、ブラックマトリックス２３で遮光される信号線３１よりも薄い膜厚で形成することにより、電極側面から散乱される光を低減し、黒輝度を低下させることでコントラストを向上させている。
【特許文献１】特開２００４−６２０３７号公報（図２）
【非特許文献１】「フラットパネルディスプレイ2004＜戦略編＞」日経BP社出版、ｐｐ．８４−８９
【発明の開示】
【発明が解決しようとする課題】
【０００６】
しかしながら、非特許文献１に記載の液晶表示装置では画素電極及び共通電極を透明電極とすることで透過率は向上したものの、コントラスト比の大きな改善は果たせなかった。
【０００７】
また、特許文献１に開示された液晶表示装置ではコントラスト比６００程度が限界値であり、コントラスト比１０００以上の要求に応えることができない。特に、横電界方式の液晶表示装置では画素領域内に配設された電極などが存在し、従来の改善方法だけでは黒輝度を十分に抑え、コントラスト比１０００以上を達成することができなかった。
【０００８】
本発明の目的は、上記問題を解消し、黒輝度を十分に低く抑えられ、コントラスト比の高い液晶表示装置を提供することである。特に、横電界方式の液晶表示装置においてコントラスト比の高い液晶表示装置を提供することにある。
【課題を解決するための手段】
【０００９】
上記目的を達成するために、本発明に係る第１の構成は、画素毎に画素電極及び共通電極が形成されている液晶表示装置であって、前記画素電極及び前記共通電極の少なくとも一方が、繰り返し構造である領域を有し、かつ、透明導電膜からなり、前記透明導電膜の少なくとも一部に、前記透明導電膜と屈折率が近似する透明な絶縁膜が接していることを特徴とする。
【００１０】
我々は従来の液晶表示装置のコントラスト比が何故向上しないのかを詳細に追及した。
【００１１】
その結果、電極材料が金属からなる場合にはこの散乱、回折強度が著しく大きく、コントラスト比を低下させていた。さらに、電極材料を金属から透明材料に変えたとしても、この散乱、回折強度が低減するもののまだ残っているため、コントラスト比１０００に達することができなかった。
【００１２】
液晶表示装置においては、広視野角性能を達成するために１画素内の画素電極、あるいは、共通電極の少なくとも一方が繰り返し構造を有する場合がある。この例として、広視野角モードとして知られているインプレインスイッチング方式やフリンジ・フィールドスイッチング方式やパターンド・バーティカルアライメント方式などがある。
【００１３】
これらの方式は画素電極および／または共通電極が、１つのパターン単位を連結した繰り返し構造を有している。
【００１４】
この場合には、繰り返しの電極からの散乱がパネル面内で周期的に発生するため、干渉により強め合うことになる。このため、１画素内に繰り返し構造の電極を有する場合には、繰り返し部位からの散乱が画素内で一番大きくなり、コントラスト比が低下する。
【００１５】
そこで、上記第１の構成のように、繰り返し構造である領域を有する透明電極からの散乱を低減するために、その透明電極と屈折率が近似する透明絶縁膜を、透明電極と接するように配置する。このことにより、屈折率が整合され、散乱の大きな低減が可能となる。このように屈折率を整合する領域は透明電極の一部でもよいが、その領域の比率が高いほど効果を発揮する。
【００１６】
本発明に係る第２の構成は、画素毎に画素電極及び共通電極が形成されている液晶表示装置であって、前記画素電極及び前記共通電極の少なくとも一方が、繰り返し構造である領域を有し、該繰り返し構造の電極の周期に対する電極幅の割合（電極領域割合と呼ぶ。）が０．２以下、あるいは、０．８以上であることを特徴とする。
【００１７】
第２の構成のように、繰り返し構造の繰り返し周期における電極領域割合（電極幅／電極周期）を調整することによっても、散乱、回折を低減することが可能である。この場合、屈折率調整を行う必要がなく、多層膜構成を比較的自由に選択することができる。
【００１８】
たとえば、図１０に示すように従来の横電界方式の液晶表示装置である繰り返し周期に近い電極領域割合が０．５である場合が最も回折、散乱が大きいことがわかる。しかしながら、第２の構成のように電極領域割合を０．２以下、あるいは０．８以上にすることで従来に比べ、散乱、回折強度をほぼ半減することができ、コントラスト比を向上させることができる。
【００１９】
本発明に係る第３の構成は、上記第２の構成において、繰り返し構造である領域の電極が透明導電膜からなり、前記透明導電膜の少なくとも一部に、前記透明導電膜と屈折率が近似する透明な絶縁膜が接していることを特徴とする。
【００２０】
この第３の構成では、上記第２の構成において、繰り返し構造である領域を有する透明電極にこの屈折率と近似する透明絶縁膜を接するように配置することにより、屈折率が整合され、散乱の大きな低減が可能にする効果がある。さらに、上記第２の構成のように繰り返し構造の電極の繰り返し周期に対する電極幅の割合を調整することにより、周期構造による散乱や回折を低減する効果を併せ持つこととなる。したがって、従来の液晶表示装置に比べて格段に黒輝度を低減でき、コントラスト比を向上させることができる。
【００２１】
本発明に係る第４の構成は、上記第１または第３の構成に加え、透明電極とこれに接する透明な絶縁膜との屈折率差の絶対値が０．３以下であることを特徴とする。
【００２２】
従来の液晶表示装置では、透明導電膜からなる電極（透明電極）には配向膜が接しており、もしくは覆われていた。透明電極と配向膜との屈折率差は０．４付近であり、透明電極からの回折、散乱を抑えることができなかった。しかしながら、第４の構成のように、各画素内に形成されている画素電極及び共通電極の少なくとも一方が、繰り返し構造である領域を有し、かつ、透明導電膜からなり、この透明導電膜の少なくとも一部に、透明導電膜と屈折率が近似する透明な絶縁膜が接し、さらに、透明導電膜とこれに接する透明な絶縁膜との屈折率差の絶対値が０．３以下であることで、図３に示すように従来の液晶表示装置のような回折、散乱による黒輝度増加をほぼ半減できる。したがって、コントラスト比を１０００以上にすることができる。さらに、上記の屈折率差の絶対値を０．１以下とすれば、透明電極からの回折、散乱をさらに低く抑え込むことができ、従来の液晶表示装置に比べ１／１０以下の黒輝度に抑えられ、コントラスト比をさらに向上することができる。
【００２３】
また、本発明は、上記第１から第４の構成に関し、各画素内に形成されている画素電極及び共通電極がともに透明電極である領域を有することを含む。
【００２４】
このように、画素内に形成されている画素電極および共通電極をともに透明電極化することで画素の透過率が向上し、表示輝度を向上させる効果が得られる。
【００２５】
また、本発明は、上記第１から第４の構成に関し、各画素内に形成されている画素電極及び共通電極がともに屈折率が近似する透明な絶縁膜と一部が接していることを含む。
【００２６】
画素内に形成されている画素電極および共通電極がともに透明電極であることから、両電極とも透明絶縁膜に対する屈折率の整合が可能になる。したがって、一方の透明電極の屈折率を透明絶縁膜と整合させる場合に比べ、さらに、繰り返し構造を有する透明電極からの散乱、回折を低減できるようになり、コントラスト比をさらに向上させることができる。
【００２７】
また、本発明は、上記第１から第４の構成に関し、画素電極及び共通電極が同一材料から形成されることが好ましい。この構成により、たとえば、画素電極及び共通電極を同時に形成することが可能となり、プロセス数の削減効果がある。したがって、低コストの液晶表示装置を提供することができる。
【発明の効果】
【００２８】
本発明によれば、液晶表示装置の画素毎に形成されている画素電極及び共通電極の少なくとも一方が、繰り返し構造である領域を有し、かつ、透明導電膜からなり、前記透明導電膜の少なくとも一部に、前記透明導電膜と屈折率が近似する透明な絶縁膜が接していることで、液晶表示装置の黒輝度を低減できるので、高コントラストを実現した液晶表示装置を提供することができる。
【００２９】
また、各画素内に形成されている画素電極及び共通電極の少なくとも一方の電極が、繰り返し構造である領域を有し、各画素内に形成されている繰り返し周期における電極領域の割合が０．２以下、あるいは、０．８以上とすることで液晶表示装置の黒輝度を低減でき、高コントラストを実現した液晶表示装置を提供することができる。
【００３０】
本発明の液晶表示装置をテレビやパソコンなどの情報端末機器のモニターに適用すれば、広視野角、高コントラスト比の表示画面を持つ低コストの情報端末機器を提供することができる。
【発明を実施するための最良の形態】
【００３１】
以下、本発明の実施の形態について図面を参照して説明する。
【００３２】
（第１実施形態）
図１は、本発明の第１実施形態である液晶表示装置の１画素の領域を拡大した概略平面図、図２は図１のＡ−Ｂ線に沿って液晶表示装置を示した概略断面図である。ただし、各構成要素サイズは説明を容易にするため、実際のサイズとは異なっている。また、透明な構成要素は図中にハッチングを入れないで示した。
【００３３】
液晶表示装置の各画素は、信号線１１と、走査線１２及び共通電極線１３とによって区画された領域にあり、ドレイン電極線１４、画素電極８３、共通電極１６、及び、ＴＦＴトランジスタ１８を備えている。図示していないが、信号線１１、走査線１２、及び、共通電極線１３は、対向基板に形成されたブラックマトリックスによって遮蔽されている。また、説明をわかりやすくするため、ストレージ容量は図示していないが、液晶表示装置のレイアウトにより所定の位置に形成されるものとする。
【００３４】
ＴＦＴトランジスタ１８は、ソースが画素電極線１５を介して画素電極８３に、ドレインがドレイン電極線１４を介して信号線1１と接続されている。そして、ＴＦＴトランジスタ１８は、走査線１２に印加される電圧により、信号線１１から入力された信号を画素電極８３に供給するか否かを制御して、液晶への印加電圧を決定している。
【００３５】
本実施形態では共通電極１６が透明導電膜で構成されている。たとえば、透明導電膜としてはＩＴＯ（Indium tin oxide）膜が挙げられる。画素電極８３は金属膜で形成され、図２に示すように信号線１１と同層に形成されている。また、画素電極８３上には保護膜としての無機絶縁膜２６が形成され、上部と絶縁されている。本実施形態では共通電極１６と画素電極８３がそれぞれ直線状の繰り返し構造を形成している。ただし、電極構造として直線状の繰り返し構造に限定するものではなく、本発明の効果をわかりやすくするために直線状の繰り返し構造としただけで、電極の繰り返し構造として、「く」の字状に折れ曲がった形状（特許文献１の図１参照）であっても、共通電極１６、画素電極８３が画素内で交互に繰り返す構造となっていれば、どのような繰り返し構造であっても構わない。共通電極１６は、第１のコンタクトホール１９を介して、下層の共通電極線１３と接続されている。また、画素電極１７は、第２のコンタクトホール２０を介して、画素電極線１５と接続している。
【００３６】
本実施形態の液晶表示装置（液晶パネル）は、図２に示すように、ＴＦＴ基板２１と対向基板２２の１対の基板からなり、両基板はスペーサ（図示せず）を介してシール材（図示せず）で接着され、両基板２１，２２の間隙に液晶２３が注入された構造となっている。
【００３７】
対向基板２２は、ガラス基板３０、ブラックマトリックス（BM）３３、保護膜３１、配向膜３２を備えている。図では本発明の効果をより簡単化するため、モノクロ液晶パネルを想定しているが、ガラス基板３０上にRGBのカラーフィルター層が形成されたカラー液晶パネルであっても構わない。
【００３８】
ＴＦＴ基板２１は、下層から順番にガラス基板２４、第１の無機絶縁膜２５、信号線１１、画素電極８３、第２の無機絶縁膜（保護膜）２６、共通電極１６、透明絶縁膜２８、及び、配向膜２９を少なくとも備える。また、液晶表示装置の設計指針により保護膜２６上に有機絶縁膜を追加しても構わない。
【００３９】
ＴＦＴ基板２１の下部にはバックライト光源（図示せず）が配置される。また、ガラス基板２４のバックライト光源と接する表面には、図示しない偏光板を備え、バックライト光源の偏光を制限している。また、バックライト光源には集光性を高める光学シートが配設されている。
【００４０】
下部のガラス基板２４の上面には図１に示す走査線１２及び共通電極線１３が形成され、第１の無機絶縁膜２５は走査線１２及び共通電極線１３を上部の層と絶縁するために用いられている。
【００４１】
第１の無機絶縁膜２５の上面には、信号線１１及び画素電極８３が形成され、第２の無機絶縁膜（保護膜）２６によって上部の層と絶縁される。なお、画素電極８３の膜厚は信号線１１の膜厚よりも薄くしてある。信号線１１、走査線１２、及び、共通電極線１３は、所望の配線抵抗となるように、その配線の幅や厚み、配線材料が設定される。ＴＦＴトランジスタ１８（図１）は、第１の無機絶縁膜２５をゲート絶縁膜として、走査線１２の上部の所定の位置で形成される。
【００４２】
第２の無機絶縁膜２６の表面には、透明電極として構成される共通電極１６が配置されている。ＴＦＴ基板２１と対向基板２２との間に挟まれた液晶２３は共通電極１６と画素電極８３との間で形成される横電界（図１に示す紙面左右方向）により駆動する。配向膜２９は、共通電極１６上に形成された透明絶縁膜２８を介して備えられ、電圧が印加されないときには液晶２３を一定方向に配向させている。
【００４３】
第２のガラス基板３０の外側表面には、図示していないが、偏光板が設置される。この偏光板の偏光方向は、第１のガラス基板２４が備える偏光板の偏光方向と直交している。このため、液晶２３に電界が印加されない時には、第１のガラス基板２４を通過したバックライト光源からの光は、第２のガラス基板３０を通過できず、液晶表示装置は黒を表示する。第２のガラス基板３０の内側表面には、光を遮断するブラックマスク（ＢＭ）３３が配設され、ＢＭ３３は、信号線１１、走査線１２、及び、共通電極線１３を遮蔽し、実質的に各画素を区画している。
【００４４】
本実施形態では、共通電極１６及び画素電極８３がともに画素内で繰り返し構造を有し、さらに、共通電極１６は透明電極であり、かつ、透明絶縁膜２８と接し、覆われている。
【００４５】
透明絶縁膜２８としては共通電極１６と屈折率が近似する無機絶縁膜あるいは有機絶縁膜を用いることができる。具体的にはシリコンナイトライド膜、酸化アルミニウム膜、酸化ハフニウム膜、あるいは、酸化ジルコニア膜などが挙げられる。これらの膜の屈折率は、１．７以上と大きい。共通電極１６である透明電極（ＩＴＯ膜）の屈折率が２程度であることから、共通電極１６と透明絶縁膜２８との屈折率差の絶対値が０．３以下となる。図３に液晶表示装置における黒輝度の光漏れ量と前記屈折率差との相対関係を示す。この図を参照すると、従来の液晶表示装置では透明電極が配向膜と接しているため、屈折率差が０．４付近であり、黒輝度の光漏れがかなり残っていたが、本実施形態のように透明電極との屈折率差を０．３以下とする透明絶縁膜で少なくとも接するようにすれば、従来の液晶表示装置に比べ、黒輝度の光漏れがほぼ半減できることが分かる。さらには、前記の屈折率差を０．１以下とすれば、従来の液晶表示装置と比較して１桁以上の黒輝度の低減することができる。以上のことから、コントラスト１０００以上の液晶表示装置を得ることができる。
【００４６】
ただし、本実施形態では、共通電極１６を覆うように透明絶縁膜２８を形成したが、図４に示すように透明絶縁膜２８が、透明電極である共通電極１６の側面の一部と接していれば、本実施形態と同様の効果は得られる。
【００４７】
（第２実施形態）
次に、本発明の第２実施形態について図面を参照して説明するが、第１実施形態と同一構成要素については同一符号を用い、その説明は割愛する。
【００４８】
図５は、本発明の第２実施形態である液晶表示装置の１画素の領域を拡大した概略平面図、図６は図５のＡ−Ｂ線に沿って液晶表示装置の断面を示した概略図である。
【００４９】
図５及び図６に示すように、第１実施形態との違いは画素電極１７に透明導電膜を用い、共通電極１６と同層に形成している点である。
【００５０】
本実施形態では共通電極１６と画素電極１７がともに繰返し構造を有し、かつ、透明電極であり、さらに、透明電極との屈折率差を０．３以下とする透明絶縁膜に接し、あるいは該透明絶縁膜で覆われている。この事から、共通電極１６及び画素電極１７の繰り返し構造のよる入射光の回折、散乱を低く抑えることができる。その結果、液晶表示装置の黒輝度を低く抑えることが可能となり、コントラストの向上に繋がる。
【００５１】
本実施形態では図５に示すように直線状の櫛歯電極を想定しているが、その構造に限定するわけではなく、画素内で周期性を持つ形状であれば、櫛歯電極の歯の部分が「く」の字状に折れ曲がった構造であっても構わない。
【００５２】
（第３実施形態）
次に、本発明の第３実施形態について図面を参照して説明するが、第１実施形態と同一構成要素については同一符号を用い、その説明は割愛する。
【００５３】
図７は、本発明の第３実施形態である液晶表示装置の１画素の領域を拡大した概略平面図、図８は図７のＡ−Ｂ線に沿って液晶表示装置の断面を示した概略図である。
【００５４】
図７及び図８に示すように、第１実施形態との違いは、画素電極６６及び共通電極６５がともに透明な導電膜から形成され、画素電極６６が画素内で複数のスリット６６ａからなる繰り返し構造を形成し、共通電極６５がガラス基板２４上に画素のほぼ全面に対して設けられている点である。
【００５５】
液晶２３は共通電極６５と画素電極６６との間で発生する横電界によって液晶の配向方向が制御され、表示の白および黒表示を行っている。
【００５６】
本実施形態では、画素電極６６と透明絶縁膜２８との間で屈折率を整合することができるので黒輝度の光漏れを低減することができる。
【００５７】
ただし、本実施形態における画素電極６６のスリット形状は直線状であるがこの形状に限定するものではなく、本発明の効果をわかりやすくするために直線状としただけである。したがって、スリット形状として、「く」の字状に折れ曲がった形状であっても、画素内で繰り返す構造となっていればどのような形状であっても構わない。
【００５８】
（第４実施形態）
次に、本発明の第４実施形態について図面を参照して説明するが、第１実施形態と同一構成要素については同一符号を用い、その説明は割愛する。
【００５９】
図９は、本発明の第４実施形態である液晶表示装置の１画素の領域を拡大した概略平面図である。
【００６０】
本実施形態は第３実施形態の構成とほぼ同じであるが、第３実施形態との違いは画素電極６６の繰り返し周期Ｘに対する電極幅Ｙ（電極領域割合と呼ぶ。）を０．２以下とする点にある。これにより、図１０から分かるように従来の液晶表示装置に比べ、黒輝度の光漏れを低減することができる。また、第３実施形態に比べて、さらに黒輝度を低減することができる。
【００６１】
（第５実施形態）
次に、本発明の第５実施形態について図面を参照して説明するが、第１実施形態と同一構成要素については同一符号を用い、その説明は割愛する。
【００６２】
図１１は、本発明の第５実施形態である液晶表示装置の１画素の領域を拡大した概略平面図、図１２は図１１のＡ−Ｂ線に沿って液晶表示装置の断面を示した概略図である。
【００６３】
この液晶表示装置ではＴＦＴ基板２１内に画素電極９８が形成され、対向基板２２内に共通電極９７が形成されている。そして、画素電極９８及び共通電極９７が１画素内でスリットにより分割された繰り返し構造となっている。このような構造の画素電極９８と共通電極９７の間に発生するフリンジ電界によって、ＴＦＴ基板２１と対向基板２２で狭持された液晶２３の配向方向が制御されて、白表示および黒表示が行われる。
【００６４】
本実施形態では、画素電極９８及び共通電極９７を透明導電膜で構成し、画素電極９８及び共通電極９７の透明電極をそれぞれ、この透明電極との屈折率差を０．３以下とする透明絶縁膜（２８、９３）で覆うことに特徴がある。従来の液晶表示装置では画素電極及び共通電極ともに配向膜が隣接していたことから、スリットによる周期構造の影響で回折、散乱が発生していた。しかしながら、本実施形態のように画素電極、共通電極との屈折率差を０．３以下とする透明絶縁膜で覆うことにより回折、散乱を抑えることができ、液晶表示装置のコントラストを向上させることができる。
【００６５】
さらに、画素電極９８及び共通電極９７の繰り返し構造による電極周期Ｘに対する電極幅Ｙの割合を０．８以上とする点に特徴がある。これにより、図１０から分かるように黒輝度の光漏れ量を低減することが可能になる。
【００６６】
（第６実施形態）
次に、本発明の第６実施形態について図面を参照して説明するが、第１実施形態と同一構成要素については同一符号を用い、その説明は割愛する。
【００６７】
図１３は、本発明の第６実施形態である液晶表示装置の１画素の領域を拡大した概略平面図である。
【００６８】
本実施形態は第２実施形態の構成とほぼ同じであるが、画素内に形成されている画素電極１７の繰り返し構造周期Ｘに対する電極幅Ｙの割合を０．２以下とする点にある。したがって、図１０から分かるように、本実施形態では、第２実施形態の効果に加えて黒輝度の光漏れ量を低減する効果も奏する。
【００６９】
以上、本発明をその好適な実施形態に基づいて説明したが、本発明の液晶表示装置は、上述した実施形態にのみ限定されるものでなく、上述した実施形態の構成から種々の修正及び変更を施した液晶表示装置も、本発明の範囲に含まれる。例えば液晶表示装置は、モノクロの液晶表示装置を例に挙げて説明したが、対向パネルにカラーフィルタを設けるなどして、カラーの液晶表示装置として構成してもよい。
【００７０】
また、本発明の液晶表示装置は、テレビ、測定用モニター、パソコン、携帯電話、ＰＤＡなどの情報端末装置に適用することができる。
【図面の簡単な説明】
【００７１】
【図１】本発明の第１実施形態である液晶表示装置の１画素の領域を拡大した概略平面図である。
【図２】図１のＡ−Ｂ線に沿って液晶表示装置の断面を示した概略図である。
【図３】画素内の周期構造の屈折率と開口部の屈折率差をパラメータとして周期構造による回折光強度を計算した結果を示す図である。
【図４】本発明の第１実施形態の変形例を、図１のＡ−Ｂ線の断面で示した図である。
【図５】本発明の第２実施形態である液晶表示装置の１画素の領域を拡大した概略平面図である。
【図６】図５のＡ−Ｂ線に沿って液晶表示装置の断面を示した概略図である。
【図７】本発明の第３実施形態である液晶表示装置の１画素の領域を拡大した概略平面図である。
【図８】図７のＡ−Ｂ線に沿って液晶表示装置の断面を示した概略図である。
【図９】繰り返し周期における電極領域割合による回折強度の総和を示す図である。
【図１０】本発明の第４実施形態である液晶表示装置の１画素の領域を拡大した概略平面図である。
【図１１】本発明の第５実施形態である液晶表示装置の１画素の領域を拡大した概略平面図である。
【図１２】図１１のＡ−Ｂ線に沿って液晶表示装置の断面を示した概略図である。
【図１３】本発明の第６実施形態である液晶表示装置の１画素の領域を拡大した概略平面図である。
【符号の説明】
【００７２】
１１    信号線
１２    走査線
１３    共通電極線
１４    ドレイン電極線
１５    画素電極線
１６、６５、９７    共通電極
１７、６６、８３、９８    画素電極
１８    ＴＦＴトランジスタ
１９、２０    コンタクトホール
２１    ＴＦＴ基板
２２    対向基板
２３    液晶
２４    ガラス基板
２５    第１の無機絶縁膜
２６    第２の無機絶縁膜
２８，９３    透明絶縁膜
２９、３２    配向膜
３０    ガラス基板
３１    保護膜
３３    ＢＭ
６６ａ    スリット
Ｘ    繰り返し構造の電極周期
Ｙ    電極幅
【図１】
2006039097.tif 000003
【図２】
2006039097.tif 000004
【図３】
2006039097.tif 000005
【図４】
2006039097.tif 000006
【図５】
2006039097.tif 000007
【図６】
2006039097.tif 000008
【図７】
2006039097.tif 000009
【図８】
2006039097.tif 000010
【図９】
2006039097.tif 000011
【図１０】
2006039097.tif 000012
【図１１】
2006039097.tif 000013
【図１２】
2006039097.tif 000014
【図１３】
2006039097.tif 000015